(57)【特許請求の範囲】
【請求項１】
固体撮像素子と、この固体撮像素子の受光面に像を形成するためのレンズホルダーと、このレンズホルダーに保持されて固体撮像素子の受光面に焦点を結ぶレンズとからなる固体撮像装置において、
前記レンズホルダーを固定するためのフランジを設け、前記フランジの取付部を前記固体撮像素子のパッケージに形成し、前記パッケージの側部または前記フランジの一方に嵌合凹部を形成し、他方に嵌合凸部を形成し、前記嵌合凹部と前記嵌合凸部によって前記フランジと前記パッケージとを固定する、固体撮像装置。
【請求項２】
前記固体撮像素子のパッケージの下部に、当該パッケージの割れを防止する複数のスリットを設けた、請求項１に記載の固体撮像装置。
【発明の詳細な説明】
【０００１】
【発明の属する技術分野】
本発明は、基板等に固定された固体撮像素子上に、レンズホルダーとこのレンズホルダーに保持されて固体撮像素子の受光面に焦点を結ぶレンズとを設けて撮像する固体撮像装置に関するものである。
【０００２】
【従来の技術】
図１は、従来の固体撮像素子例えばＣＣＤ撮像素子の内部構造の側面要部断面図であり、図２はそのＣＣＤ撮像素子の外観を示す。ＣＣＤ撮像素子１は、ＣＣＤ素子３のリード６を低融点ガラス４で固定し、その上下をセラミック製のパーケージ２で挟み込み、そのパッケージ２の上面にガラスキャップ５を取付けた構造となっている。
【０００３】
図３は、従来のＣＣＤ撮像素子を基板に取り付けた状態を示す説明図であり、ＣＣＤ撮像素子１を用いて撮影するためには、ＣＣＤ撮像素子１を基板７に半田付１２で固定し、そのＣＣＤ撮像素子１上にレンズホルダー９とそのレンズホルダー９をフォーカス調整し固定するためのフランジ８を設け、そのフランジ８を基板７にビス１１で固定することで、ＣＣＤ撮像素子１による撮影が可能になっている。なお、１０はフォーカス調整用のネジである。
【０００４】
【発明が解決しようとする課題】
しかしながら、ＣＣＤ撮像素子には、レンズホルダーとそのレンズホルダーを固定するためのフランジの両方が不可欠であり、更に、フランジを固定するためのビスが必要であり組立上の工数がかかるため製造コストが高くついた。
【０００５】
【課題を解決するための手段】
かかる課題を解決するために、請求項１の発明は、固体撮像素子と、この固体撮像素子の受光面に像を形成するためのレンズホルダーと、このレンズホルダーに保持されて固体撮像素子の受光面に焦点を結ぶレンズとからなる固体撮像装置において、レンズホルダーを固定するためのフランジを設け、このフランジの取付部を固体撮像素子のパッケージに形成し、パッケージの側部またはフランジの一方に嵌合凹部を形成し、他方に嵌合凸部を形成し、嵌合凹部と嵌合凸部によってフランジとパッケージとを固定する構成としている。
【０００７】
請求項２に記載の発明は、固体撮像素子のパッケージの下部に、当該パッケージの割れを防止する複数のスリットを設けた構成としている。
【００１０】
【発明の実施の形態】
本発明の実施の形態を図面を参照して説明する。
【００１１】
＜第１の実施の形態＞
本発明の第１の実施の形態を図４から図６に従って詳細に説明する。
【００１２】
図４は、本発明に係るＣＣＤ撮像素子を示す側面図であり、図５はＣＣＤ撮像素子の正面図を示し、ＣＣＤ撮像素子１の下部パッケージ２の両側面に嵌合凹部である溝１３を設けている。
【００１３】
図６は、本発明のＣＣＤ撮像素子１を基板に取り付けた状態を示す説明図であり、ＣＣＤ撮像素子１をそのリード６をもって基板７に半田付１２にて固定し、レンズホルダー９を固定するためのフランジ８に設けた嵌合凸部である突起部１４を下部パッケージ２の前記溝１３に嵌合して固定している。
【００１４】
このような構成にすることにより、ＣＣＤ撮像素子１自身でレンズホルダー９を固定するためのフランジ８をビス１１等がなくても固定できる。すなわち、下部パッケージ２の溝１３がフランジ８の取付部の働きをするものである。
【００１５】
この時に、ＣＣＤ撮像素子１の下部パッケージの溝１３とレンズホルダー９の突起部１４とは嵌め合いがきついので、レンズホルダー９のフランジ８の四隅に細い短冊状のスリットを設ける。このスリットは、ＣＣＤ撮像素子１の撮像面に余計な光が入らないよう基板７から撮像面までの高さに押さえておく。
【００１６】
＜第２の実施の形態＞
本発明の第２の実施の形態を図７に従って詳細に説明する。尚、前述した同様の部分の説明は省略する。
【００１７】
図７は、図４に示したＣＣＤ撮像素子１のパッケージ下部にスリット１５を設けた時のＣＣＤ撮像素子１の側面要部断面図であり、ＣＣＤ撮像素子１の下部パッケージ２の一部周囲（リード端子６無側）に設けた溝１３の下に、複数の細長い溝状のスリット１５を設けることで、突起部１４のあるフランジ８をＣＣＤ撮像素子１に嵌合させた場合、嵌合するまでの無駄な応力をスリット１５で逃がし、ＣＣＤ撮像素子１の下部パッケージ２の割れ等を防ぐことができる。
【００１８】
＜第３の実施の形態＞
本発明の第３の実施の形態を図８から図１０に従って詳細に説明する。尚、前述したと同様の部分の説明は省略する。
【００１９】
図８は、ＣＣＤ撮像素子１のパッケージ２外枠形状を４角柱形１６に伸ばし、その内部を円柱状にくり貫いた構造を示した要部断面図であり、図９は平面図を示している。
【００２０】
図１０は図８で示したＣＣＤ撮像素子１を基板７に固定し、その円柱状にくり貫いたフランジ１７にレンズホルダー９を嵌入し、フォーカス調整用ネジ１０で取付けたことを示す概略図であり、ＣＣＤ撮像素子１のパッケージ２で、フランジ８の役目を果たし、レンズホルダー９自身を直接ＣＣＤ撮像素子１に挿入できる構成となっている。
【００２１】
＜第４の実施の形態＞
本発明の第４の実施の形態を図１１から図１２に従って詳細に説明する。尚、前述した同様の部分の説明は省略する。
【００２２】
図１１は、図８で示したＣＣＤ撮像素子１のパッケージ２外枠形状を４角柱形１６に伸ばし、その内部を円柱状にくり貫いた部分にらせん状のネジ切り溝１８を設けたことを示した概略図であり、図１２は、図１１に示したＣＣＤ撮像素子１を基板７に固定し、その円柱状にくり貫いたフランジ１７部分にレンズホルダー９を取付けたことを示す概略図であり、ＣＣＤ撮像素子１のパッケージ２で、フランジ８の役目を果たし、レンズホルダー９自身を直接ＣＣＤ撮像素子１の挿入でき、さらに、ネジ切り溝１８に沿ってレンズホルダー９の溝が動くために、レンズホルダーの動きがスムーズでフォーカス調整を容易にする。
【００２３】
【発明の効果】
本発明の固体撮像装置は上記のように構成するため、請求項１記載の発明によれば、固体撮像素子自身でレンズホルダーを固定するためのフランジをビス等が無しで固定できるようになる。
【００２４】
また、フランジと固体撮像素子とを嵌合によって固定できるので固定作業が容易になる。さらに、請求項２の発明によれば、その作業時においてパッケージにかかる応力をスリットが逃がすので下部パッケージの割れ等を防ぐことができる。
【図面の簡単な説明】
【図１】従来のＣＣＤ撮像素子の内部構造の側面要部断面図である。
【図２】従来のＣＣＤ撮像素子の外観図である。
【図３】従来のＣＣＤ撮像素子を基板に取り付けた状態を示す説明図である。
【図４】本発明の第一の実施の形態に係るＣＣＤ撮像素子の側面図である。
【図５】図４の正面図である。
【図６】図４のＣＣＤ撮像素子を基板に取り付けた状態を示す説明図である。
【図７】図４に示したＣＣＤ撮像素子のパッケージ下部にスリットを設けた時の側面要部断面図である。
【図８】他の実施の形態にかかるＣＣＤ撮像素子の構造を示した要部断面図である。
【図９】図８に示したＣＣＤ撮像素子の平面図である。
【図１０】図８で示したＣＣＤ撮像素子を基板に固定し、レンズホルダーを取付けたことを示す概略図である。
【図１１】更に他の実施の形態にかかるＣＣＤ撮像素子の構造を示した概略図である。
【図１２】図１１に示したＣＣＤ撮像素子を基板に固定し、レンズホルダーを取付けたことを示す概略図である。
【符号の説明】
１    ＣＣＤ撮像素子
２    パッケージ
３    ＣＣＤ素子
４    低融点ガラス
５    ガラスキャップ
６    リード足
７    基板
８    フランジ
９    レンズホルダー
１０    フォーカス調整用ビス
１１    ネジ
１２    半田付
１３    溝
１４    突起部
１５    スリット
１６    フランジ（四角柱形パッケージ）
１７    円形のくり貫き穴
１８    ネジ切り溝
【図１】
0003606756.tif 000002
【図２】
0003606756.tif 000003
【図３】
0003606756.tif 000004
【図４】
0003606756.tif 000005
【図５】
0003606756.tif 000006
【図６】
0003606756.tif 000007
【図７】
0003606756.tif 000008
【図８】
0003606756.tif 000009
【図９】
0003606756.tif 000010
【図１０】
0003606756.tif 000011
【図１１】
0003606756.tif 000012
【図１２】
0003606756.tif 000013